(57)【要約】      （修正有）【課題】基板に実装されるコネクタジャックを補強し、ケーブルのコジリに対する強度を向上させることを可能にした電子機器を提供する。【解決手段】基板９に表面実装されたコネクタジャック７，８と、コネクタジャック７，８の補強部材１１を有し、補強部材１１は、基板９のコネクタジャックの実装面９ａの背面に接する第１の補強部と、コネクタジャック７，８の天面を弾性的に付勢する第２の補強部１１２，１１３を有する。【選択図】図７
2011165345.tif 000002
【特許請求の範囲】
【請求項１】
基板に表面実装されたコネクタジャックと、前記コネクタジャックの補強部材とを有し、
前記補強部材は、前記基板の前記コネクタジャックの実装面の背面に接する第１の補強部と、前記コネクタジャックの天面を弾性的に付勢する第２の補強部を有することを特徴とする電子機器。
【請求項２】
前記第２の補強部は、前記コネクタジャックの天面の領域のうち、前記コネクタジャックの信号線が前記基板に半田付けされる半田部の近傍を押さえることを特徴とする請求項１に記載の電子機器。
【請求項３】
前記補強部材は導電性を有し、グランドに接続されていることを特徴とする請求項１又は２に記載の電子機器。
【請求項４】
導電性を有し、グランドに接続されているシャーシを有し、
前記補強部材は、前記シャーシと電気的に接続されていることを特徴とする請求項３に記載の電子機器。
【発明の詳細な説明】
【技術分野】
【０００１】
本発明は、電子機器に関し、特に基板に表面実装されるコネクタジャックを補強する構造を備えた電子機器に関するものである。
【背景技術】
【０００２】
従来、コネクタジャックを基板に取り付ける方法としては、コネクタジャックを基板の表面に半田付けする方法、コネクタジャックの一部を基板のスルーホールに挿入して半田付けする方法、コネクタジャックを基板にネジ止めする方法などが採られている。
特許文献１に開示されている撮像装置のように、小さなコネクタジャックを基板に取り付ける際には省スペース化のために、基板の表面に半田付けする方法、あるいは基板のスルーホールに挿入して半田付けする方法が採られている。
【先行技術文献】
【特許文献】
【０００３】
【特許文献１】特開２００７−１１６７３６号公報
【発明の概要】
【発明が解決しようとする課題】
【０００４】
しかしながら、コネクタジャックを基板の表面に半田付けする方法では、コネクタジャックの外力に対する強度は基板のパターン強度に依存し、ケーブルのコジリによって基板から外れ易いという問題がある。
一方、コネクタジャックの一部を基板のスルーホールに挿入して半田付けする方法は、スルーホールに流れ込んだ半田が補強となるため、表面に半田付けする方法よりも強度は強い。しかしながら、半田の強度はそれほど強いものではなく、コネクタジャックに大きな外力が加わると、基板から外れてしまうことがある。
【０００５】
そこで、本発明の目的は、基板に実装されるコネクタジャックを補強し、ケーブルのコジリに対する強度を向上させることを可能にした電子機器を提供することである。
【課題を解決するための手段】
【０００６】
上記目的を達成するために本発明は、基板に表面実装されたコネクタジャックと、前記コネクタジャックの補強部材とを有し、前記補強部材は、前記基板の前記コネクタジャックの実装面の背面に接する第１の補強部と、前記コネクタジャックの天面を弾性的に付勢する第２の補強部を有することを特徴とする。
【発明の効果】
【０００７】
本発明によれば、基板に実装されるコネクタジャックを補強し、ケーブルのコジリに対する強度を向上させることを可能にした電子機器を提供することができる。
【図面の簡単な説明】
【０００８】
【図１】本発明の実施形態であるカメラの前面から見た斜視図である。
【図２】本発明の実施形態であるカメラの背面から見た斜視図である。
【図３】本発明の実施形態であるカメラの側面図である。
【図４】本発明の実施形態であるカメラの内部構造を示す側面図である。
【図５】本発明の実施形態であるカメラの内部構造を示す背面図である。
【図６】本発明の実施形態であるカメラの内部構造を示す底面図である。
【図７】補強部材の構造を示す分解斜視図である。
【図８】補強部材の構造を示す分解状態の断面図である。
【図９】補強部材の構造を示す取付完了状態の断面図である。
【発明を実施するための形態】
【０００９】
以下に、本発明による電子機器の好ましい実施の形態を、添付の図面に基づいて詳細に説明する。図１は本発明の実施形態に係るカメラの前面から見た斜視図であり、図２は本発明の実施形態に係るカメラの背面から見た斜視図である。
電子機器であるカメラ１の外装は、前カバー２、上カバー３、サイドカバー４、端子カバー５、後カバー６で構成されている。
【００１０】
図３はカメラ１の側面図であり、端子カバー５を開いた状態を表している。端子カバー５はゴムやエラストマー等の弾性を有する材料で構成されており、端子カバー５を開くことによって、図３に示す状態とすることが可能となる。なお、図面の見易さのために、図３においては、端子カバー５は省略して描いている。
【００１１】
サイドカバー４の端子カバー５によって覆われる部分には、端子設置部４ａが形成されている。端子設置部４ａには１つ又は複数のコネクタジャック、この例ではＵＳＢジャック７とＨＤＭＩジャック８が配置されている。ＵＳＢジャック７にはＵＳＢケーブルが挿入され、ＵＳＢ端子を有するパーソナルコンピュータ等との通信に使用される。また、ＨＤＭＩジャック８にＨＤＭＩケーブルを挿入し、ＨＤＭＩ端子を有するデジタルテレビ等に接続することで、映像／音声信号をデジタルテレビへと送信することができる。
【００１２】
次に、カメラ１の内部構造について、図４〜図６を参照しながら説明する。
図４〜６はカメラ１から前カバー２、上カバー３、サイドカバー４、端子カバー５、後カバー６を取り外した状態を表している。
図４はカメラ１の内部構造を示す側面図であり、図３と同じ方向から見たものである。
図５はカメラ１の内部構造を示す背面図であり、カメラ１の背面から見て左側部分のみ示している。
図６はカメラ１の内部構造を示す底面図であり、図５を下側から見た図となっている。
【００１３】
これらの図において、９は基板であり、カメラ１の様々な制御を行うための回路を構成するためのパターンが形成され、様々な電気素子が実装されている。基板９には、図５における紙面裏側にＵＳＢジャック７とＨＤＭＩジャック８が表面実装されている（特には図７を参照して、基板９の実装面９ａとする）。１０はカメラ１の骨格をなすシャーシである。シャーシ１０は金属製であり、図示しない電池のグランドに電気的に接続されている。１１は補強部材であり、ＵＳＢジャック７、ＨＤＭＩジャック８、基板９を補強するための部材である。
【００１４】
補強部材１１は、側面よりビス１２，１３によって、底面よりビス１４によってシャーシ１０にビス止めされている。また、ビス１５は、背面から補強部材１１と基板９をシャーシ１０にビス止めしている。更に、ビス１６は基板９をシャーシ１０にビス止めしている。このように補強部材１１は導電性を有し、電池のグランドに接続されたシャーシ１０にビス止めされているため、補強部材１１も電池のグランドに接続された構造となっている。
【００１５】
また、補強部材１１には、第１の補強部である基板補強部１１１が形成されている。基板補強部１１１のビード部１１１ａ〜１１１ｆが基板９（の実装面９ａの背面）に接するように一体的に構成されており、ＵＳＢジャック７やＨＤＭＩジャック８にケーブルが差し込まれた際にコジリが発生した時でも、基板９の変形を小さくすることができる。こうすることで、基板９が大きく反ることにより発生するパターン断線や、ＵＳＢジャック７やＨＤＭＩジャック８の信号線の半田剥がれを防止することができる。
【００１６】
本実施形態では、ビード部１１１ａ〜１１１ｆは基板９にコジリが発生した際の補強と、補強部材１１そのものの補強の目的で形成されたものであるが、同様の目的を達成するために他の手段を用いることも可能である。
【００１７】
次に、補強部材１１の構造について、図７〜図８を参照しながら詳細に説明する。
図７は補強部材１１を取り付ける前の状態を表す分解斜視図であり、図１と同じ方向から見たものである。
図８は補強部材１１を取り付ける前の状態を表す断面図であり、図４におけるＡ−Ａ線における断面図と、Ｂ−Ｂ線における断面図を表している。
図９は補強部材１１取付完了状態を表す断面図であり、図８と同様、図４におけるＡ−Ａ線における断面図と、Ｂ−Ｂ線における断面図を表している。
【００１８】
補強部材１１は、図７及び図８の矢印方向に取り付けられる。補強部材１１には、第２の補強部である、ＵＳＢ補強部１１２とＨＤＭＩ補強部１１３が形成されている。ＵＳＢ補強部１１２とＨＤＭＩ補強部１１３はそれぞれ、ＵＳＢジャック７とＨＤＭＩジャック８のそれぞれ天面７ａ，８ａを弾性的に付勢する。図９では、ＵＳＢ補強部１１２とＨＤＭＩ補強部１１３が弾性変形して、ＵＳＢジャック７とＨＤＭＩジャック８を押さえている様子が表されている。
【００１９】
ＵＳＢジャック７、ＨＤＭＩジャック８にケーブルが挿入されてコジリが発生した時、コジリの支点はケーブル挿入口近辺に存在する。また、コジリの作用点としては、ＵＳＢジャック７、ＨＤＭＩジャック８の信号線が基板９に半田付けされる半田部７ｂ，８ｂである。そのため、より効果的な補強を行うためには、ＵＳＢ補強部１１２及びＨＤＭＩ補強部１１３はそれぞれ、ＵＳＢジャック７及びＨＤＭＩジャック８の天面７ａ，８ａの領域のうち半田部７ｂ，８ｂの近傍を押さえるように構成している。
【００２０】
一方、ＵＳＢやＨＤＭＩ等の高速通信端子を有する電子機器では、放射ノイズ性能が問題となることがある。本実施形態では、ＵＳＢジャック７、ＨＤＭＩジャック８はＵＳＢ補強部１１２、ＨＤＭＩ補強部１１３を介して電池のグランドと接続されるため、放射ノイズ性能を向上させることが可能となる。
【００２１】
以上、本発明の好ましい実施形態について説明したが、本発明はこれらの実施形態に限定されず、その要旨の範囲内で種々の変形及び変更が可能である。
【符号の説明】
【００２２】
１：カメラ（電子機器）
７：ＵＳＢジャック（コネクタジャック）
８：ＨＤＭＩジャック（コネクタジャック）
９：基板
１０：シャーシ
１１：補強部材
１１１：基板補強部（第１の補強部）
１１２：ＵＳＢジャック補強部（第２の補強部）
１１３：ＨＤＭＩジャック補強部（第２の補強部）
【図１】
2011165345.tif 000003
【図２】
2011165345.tif 000004
【図３】
2011165345.tif 000005
【図４】
2011165345.tif 000006
【図５】
2011165345.tif 000007
【図６】
2011165345.tif 000008
【図７】
2011165345.tif 000009
【図８】
2011165345.tif 000010
【図９】
2011165345.tif 000011